(57)【特許請求の範囲】
【請求項１】
貯留部に貯留された液体中に配置され、かつ、該液体を下方の取り込み口を介して内部に取り込むための密閉容器と、前記取り込み口を開閉する逆止弁であって、前記密閉容器外の液圧により開く逆止弁と、空気供給装置から供給される加圧空気を前記密閉容器内に供給するための空気供給管と、前記空気供給管からの空気圧により前記密閉容器内に取り込まれた液体を特定箇所まで移送するために移送始端側が該密閉容器内の下部まで挿入された状態で配置した揚水管とを備え、前記密閉容器内の揚水管の上部に一端が連通接続され、かつ、他端が該密閉容器の下部に連通された補助管を設け、前記密閉容器内の液体を該密閉容器の上部から取り入れて前記補助管の下部開口部に供給するために該補助管の外径よりも大きな内径を有する有底筒状の貯留量調節用管をそれの内部に該補助管の下端から上部まで挿入した状態で配置してなる液体移送装置。
【請求項２】
前記貯留量調節用管の下端に外部に連通するための開口を形成し、その開口を閉塞する着脱自在な蓋体を設けてなる請求項１記載の液体移送装置。
【請求項３】
前記貯留量調節用管の上端の位置を調節することができる調節手段を備えてなる請求項１記載の液体移送装置。
【請求項４】
前記調節手段が、貯留量調節用管を上下方向に強制移動させるための駆動装置からなり、前記貯留部の貯留レベルが所定レベルよりも低下したことを検出するための貯留レベル検出手段を設け、前記貯留レベル検出手段からの検出信号に応じて前記貯留量調節用管を上下方向に移動させるように前記駆動装置を駆動するための駆動制御手段を設けてなる請求項３記載の液体移送装置。
【発明の詳細な説明】
【０００１】
【発明の属する技術分野】
本発明は、水処理装置の一例である浄化槽に主として用いられ、例えば嫌気ろ床槽の汚水（液体）を接触ばっ気槽、担体流動床、生物ろ過槽等に移送するために用いる液体用移送装置に関する。
【０００２】
【従来の技術】
従来、上記液体用移送装置としては、間欠的に定量移送することができるものが好ましく、例えば特許番号第２５５９１７７号公報の図２に示される揚水器が揚げられる。これは、液面下に没するように配置された密閉容器の底面に、流入側には開口するが、流出側には閉塞する逆止弁が設けられ、密閉容器の上面には、送風機に連通する空気供給管が設けられている。前記密閉容器には、上面から、その底面近くまで達する吐出管が挿通されていて、該吐出管の中間には下方に向かった後、上方に立ち上がるＵ字状に湾曲したＵ字管の一端が取り付けられている。このＵ字管の他端は、一端の吐出管への取付部とほぼ同一高さにおいて、密閉容器内に開口している。このように密閉容器が液面下に没しているため、液の圧力で逆止弁を開口させて密閉容器内に流入するが、空気供給管から送り込まれた加圧空気の圧力によって、密閉容器内の液面は押し下げられ、空気圧と押し下げられた液面の圧力が釣り合った高さ以上に空気圧が高い場合には、その圧力によって、直ちに逆止弁が閉じられて液は吐出管に流入し、これから吐出される。しかし、この液の吐出により、その液面がＵ字管の下端よりも低くなると、吐出管内にＵ字管から直接加圧空気が流入し、吐出管から加圧空気が流出するので、密閉容器内の圧力は低下する。すると、閉じられている逆止弁に密閉容器外の液圧が加わるため、逆止弁が開いて密閉容器内に、密閉容器外の液が流入し、密閉容器内液位がＵ字管の上端にまで達すると、Ｕ字管内に液が流入して水封し、空気圧の放出が止まり、前述と同様にして密閉容器内の液の吐出が行われる。
【０００３】
【発明が解決しようとする課題】
上記構成によれば、密閉容器内にＵ字管を設けるためのスペースを確保しなければならないため、密閉容器が大型になる不都合があるだけでなく、特に浄化槽で使用する場合には、長期使用に伴ってＵ字管内に汚泥が堆積し、Ｕ字管の流動有効径が小さくなるものであった。特に、浄化処理が行われない時間が多くなればなるほど前記Ｕ字管の底部に汚泥が堆積してしまい、Ｕ字管内が汚泥で詰まってしまうこともあった。因みに、前記Ｕ字管内を定期的に清掃して汚泥を取り除くことも考えられるが、清掃を行わなければならない煩わしさがあるだけでなく、管がＵ字形状であるため、清掃が困難であることから、Ｕ字管に圧力ポンプ等による特別な清掃作業が必要になり、清掃作業自体が非常に手間のかかる煩わしいものであり、改善の余地があった。
【０００４】
本発明が前述の状況に鑑み、解決しようとするところは、大型化することを抑制することができると共に、清掃作業を不要にしながらも、液体の定量移送が長期間に渡って良好に行える液体用移送装置を提供する点にある。
【０００５】
【課題を解決するための手段】
本発明の液体移送装置は前述の課題解決のために、貯留部に貯留された液体中に配置され、かつ、該液体を下方の取り込み口を介して内部に取り込むための密閉容器と、前記取り込み口を開閉する逆止弁であって、前記密閉容器外の液圧により開く逆止弁と、空気供給装置から供給される加圧空気を前記密閉容器内に供給するための空気供給管と、前記空気供給管からの空気圧により前記密閉容器内に取り込まれた液体を特定箇所まで移送するために移送始端側が該密閉容器内の下部まで挿入された状態で配置した揚水管とを備え、前記密閉容器内の揚水管の上部に一端が連通接続され、かつ、他端が該密閉容器の下部に連通された補助管を設け、前記密閉容器内の液体を該密閉容器の上部から取り入れて前記補助管の下部開口部に供給するために該補助管の外径よりも大きな内径を有する有底筒状の貯留量調節用管をそれの内部に該補助管の下端から上部まで挿入した状態で配置したことを特徴としている。
まず密閉容器が液面下に没しているため、液体の圧力で逆止弁を開口させて密閉容器内に流入する。そして、密閉容器内に流入した液体の液面が貯留量調節用管の上端面と同一になった時点から、貯留量調節用管に流入し、流入した液体が補助管内にそれの下端から流入することにより、補助管の下部開口部が液体にて閉じられ、密閉容器内が水封される。この時点から密閉容器内に空気供給管から送り込まれた加圧空気の逃げ場が無くなるため、逆止弁が閉じられ、密閉容器内の圧力が高まっていく。前記逆止弁が閉じられてから、前記補助管の内部に液体が移動し、密閉容器の水位がどの位置においても同一になった時点から密閉容器内の液面が空気の圧力によって押し下げされ、液体が揚水管にそれの下端及び補助管を介して流入し、揚水管から吐出される。しかし、この液体の吐出により、密閉容器内の液面が補助管の下端よりも低くなると、揚水管内に貯留量調節用管を介して補助管から加圧空気が流入し、揚水管から加圧空気が流出するので、密閉容器内の圧力が低下する。すると、閉じられていた逆止弁に密閉容器外の液圧が加わるため、逆止弁が開いて密閉容器内に、密閉容器外の液が流入し、密閉容器内液位が貯留量調節用管の上端にまで達すると、貯留量調節用管及び補助管内に液が流入することにより、前記のように密閉容器内が水封され、前記と同様にして密閉容器内の液体の吐出が行われる。これを繰り返すことにより、液体を間欠的に定量移送することができるのである。又、浄化処理が長い時間滞っている場合、つまり貯留部の水位が貯留量調節用管の上端よりも低い位置に長い時間ある場合に、前記貯留量調節用管の底部に汚泥が沈澱して沈殿物が存在していても、浄化処理が再開されて、前記のように密閉容器内に流入した液体の液面が貯留量調節用管の上端面と同一になった時点から、密閉容器内の液体が貯留量調節用管の底部に管の寸法の上下の落差を以て落下することにより発生する衝撃により、貯留量調節用管の底部において撹拌作用が発生し、前記沈殿物を解消する効果を持っている。
上記のように密閉容器内の液体を貯留量調節用管に上部から流入させて補助管の下端から上方に流入させて、揚水管を介して所定箇所に移送する二重筒の構成にすることによって、従来のようなＵ字管を用いるものに比べて装置全体が水平方向に大型化することを可及的に抑制することができる。又、貯留量調節用管を直径や上下寸法の異なる貯留量調節用管に付け替えるだけで、一回に移送する液体の移送量を変更することができる。又、貯留量調節用管を上下方向に移動自在に構成しておけば、貯留部の最低液面に合わせて装置を設置する場合に、貯留量調節用管を上下方向に移動させるだけで設置誤差を容易に解消することができる。
【０００６】
前記貯留量調節用管の下端に外部に連通するための開口を形成し、その開口を閉塞する着脱自在な蓋体を設けることによって、その蓋体を開けて容易に掃除することができる。前記貯留量調節用管を取り外し可能に構成しておけば、その貯留量調節用管を取り外すことによって、更に清掃作業を容易に行うことができる。
【０００７】
前記貯留量調節用管の上端の位置を調節することができる調節手段を備えさせることによって、水位が所定水位よりも低下した場合でも、その変動した水位に合わせて貯留量調節用管の上端の位置を下方へ調節することで、液体の定量移送を行うことができる。
【０００８】
前記調節手段が、貯留量調節用管を上下方向に強制移動させるための駆動装置からなり、前記貯留部の貯留レベルが所定レベルよりも低下したことを検出するための貯留レベル検出手段を設け、前記貯留レベル検出手段からの検出信号に応じて前記貯留量調節用管を上下方向に移動させるように前記駆動装置を駆動するための駆動制御手段を設けている。
貯留部の貯留レベルが変動するような場合でも、その貯留レベルが所定レベルよりも低下したことを貯留レベル検出手段にて検出し、その検出信号に応じて駆動制御手段から駆動装置に駆動信号を出力して、貯留量調節用管を上下方向に移動させることができる。
【０００９】
【発明の実施の形態】
図１に、本発明の液体用移送装置１が配設された浄化槽を示している。この浄化槽は、図に示すように汚水の流入口２側から順に、嫌気ろ床槽第一室３、嫌気ろ床槽第二室４、接触ばっ気槽５、沈澱槽６等から構成され、図の右側の矢印から浄化された液体が排出されるようになっている。この浄化槽は、図に示すものに限定されるものではなく、しかも本発明は、特に浄化槽において良好に適応することができるが、液体を移送するものであれば、どのようなものにも広く適応することができる。尚、図１において嫌気ろ床槽第二室４内の汚水の水位が高いＨＷＬ（ＨＩＧＨ，ＷＡＴＥＲ，ＬＥＶＥＬ）の場合と、嫌気ろ床槽第二室４内の汚水の水位が低いＬＷＬ（ＬＯＷ，ＷＡＴＥＲ，ＬＥＶＥＬ）の場合とを図示しているが、これら水位は、流入水の流入量の変動によって変化することになる。
【００１０】
液体用移送装置１は、図１に示すように、前記嫌気ろ床槽第二室４内の汚水を前記接触ばっ気槽５に間欠的に定量移送して、流入水の変動による嫌気ろ床槽第二室４内の汚水量の変動に係わらず、接触ばっ気槽５での処理量（負荷）が常に同一になるようにしている。
【００１１】
前記液体用移送装置１は、具体的には、図１及び図２に示すように、貯留部の一例である前記嫌気ろ床槽第二室４に貯留された汚水中に配置され、かつ、汚水を下方の取り込み口７Ａを介して内部に取り込むための内部中空でほぼ円柱形（楕円柱形や角柱形等、どのような形状でもよい）の密閉容器７と、前記取り込み口７Ａを開閉する水の比重よりも小さな比重を有する逆止弁８と、空気供給装置であるエアポンプ（図１参照）Ｐから供給される加圧空気を前記密閉容器７内に供給するために該密閉容器７の上端に連通接続された円筒状（楕円形や角形等でもよい）の空気供給管９と、前記空気供給管９からの空気圧により前記密閉容器７内に取り込まれた液体を前記接触ばっ気槽５まで移送するために移送始端が該密閉容器７の上端を貫通して内部下部にまで垂直姿勢で挿入配置された円筒状（楕円形や角形等でもよい）の揚水管１０とを備え、前記密閉容器７内の揚水管１０の上部に一端が連通接続され、かつ、他端が密閉容器７の下部に連通されたほぼ逆Ｌ字状の円筒状（楕円筒状や角筒状等でもよい）の補助管１１を設け、前記密閉容器７内の液体を密閉容器７の上部から取り入れて前記補助管１１の下部開口部１１Ｋに供給するために補助管１１の外径よりも大きな内径（補助管１１の内径のほぼ２倍の内径）を有する有底筒状の貯留量調節用管１２をそれの内部に補助管１１の下端から上部まで挿入した状態で配置している。前記密閉容器７は、上側円盤状板部７Ｂと前記取り込み口７Ａを備える下側円盤状板部７Ｃとそれら上下の板部を連結する円筒状側板部７Ｄの３つの部材からなっているが、２つの部材から構成してもよいし、４つ以上の部材から構成してもよい。又、前記液体用移送装置１を構成する各部材の形状及び材質は、自由に変更することができる。図２に示す９Ａは、前記空気供給管９の供給終端部を嵌合接続するために前記密閉容器７側に備えさせた接続用円筒部である。
【００１２】
前記揚水管１０は、図１及び図２に示すように、密閉容器７の上方から前記接触ばっ気槽５まで移送するための円筒状の揚水管本体１０Ａと、この揚水管本体１０Ａの移送始端側端部を接続する第１接続部を有し、かつ、前記補助管１１の液体移送側終端を接続するための第２接続部を有するほぼＴ字状で円筒状のジョイント部１０Ｂと、このジョイント部１０Ｂの下端に接続され、かつ、密閉容器７内に位置する円筒状の揚水始端側パイプ部１０Ｃの３つの部材からなっているが、２つの部材又は１つの部材あるいは４つ以上の部材から構成してもよい。前記ジョイント部１０Ｂは、上下方向の円筒状の本体部１０ａと、この本体部１０ａの上下方向ほぼ中間部から水平方向に一旦延びると共に水平終端部から９０度下方に湾曲した分岐部１０ｂとからなっている。
【００１３】
前記補助管１１は、前記ジョイント部１０Ｂの分岐部１０ｂと、この分岐部１０ｂの下端に一端が嵌合接続される上下方向に沿った円筒状のストレートパイプ部１１Ａの２つの部材からなっているが、１つの部材又は３つ以上の部材から構成してもよい。尚、前記補助管１１の下端は、前記揚水始端側パイプ部１０Ｃの下端よりも上方に位置するように設定している。
【００１４】
前記貯留量調節用管１２は、前記補助管１１の下端から上部まで外周から覆う補助管よりも大径な直径を有するストレートで円筒状の管本体１２Ａと、この管本体１２Ａの下端が嵌合固定され、かつ、前記密閉容器７の底板に貫通固定された円筒状の固定部１２Ｂとからなり、前記固定部１２Ｂの下端部開口を螺合自在な上方開放型（有底筒状）の蓋体１３により閉塞されている。前記固定部１２Ｂの下端外面に、前記蓋体１３の内面に形成の螺子部１３Ａに螺合する螺子部１２Ｎを形成してあり、螺合を解除することにより蓋体１３を取り外して貯留量調節用管１２内の清掃を行うことができるようにしている。図２に示す２０は、固定部１２Ｂと蓋体１３との隙間を埋めるためのパッキンである。前記貯留量調節用管１２を２つの部材１２Ａ，１２Ｂから構成しているが、１つの部材又は３つ以上の部材から構成してもよい。そして、前記貯留量調節用管１２を、それの上下寸法又は直径の異なるものに変更することによって、移送量を変更することができる。又、前記貯留量調節用管１２の上端面１２Ｃの位置を、図１において嫌気ろ床槽第二室４内の汚水の水位が低いＬＷＬ（ＬＯＷ，ＷＡＴＥＲ，ＬＥＶＥＬ）に一致又はそれよりも少し低い位置に設定することによって、水位が低いＬＷＬ場合でも、汚水の移送を行うことができる利点がある。又、前記貯留量調節用管１２及び前記密閉容器７を透明体にて構成することによって、貯留量調節用管１２の底部に汚泥が堆積していることを外部から容易に確認することができ、好ましいが、透明でない部材で構成することもできる。
【００１５】
前記液体用移送装置１の動作を簡単に説明すれば、まず密閉容器７が液面下に没しているため、汚水がそれの圧力で逆止弁８を開口させて密閉容器７内に流入する。そして、図３（ａ）に示すように、密閉容器７内に流入した汚水の液面が貯留量調節用管１２の上端面１２Ｃと同一になった時点から、密閉容器７内の汚水が貯留量調節用管１２に順次流入されることにより、貯留量調節用管１２の底部に撹拌作用を発生させながら、貯留量調節用管１２の底部に流入した汚水が補助管１１内にそれの下端から流入して揚水管１０に連通状態にある補助管１１の下部開口部１１Ｋが水封される。この時点から密閉容器７内に空気供給管９から送り込まれた加圧空気の逃げ場が無くなるため、逆止弁８が閉じられ、密閉容器７内の圧力が高まっていく。前記逆止弁８が閉じられてから、前記補助管１１の内部にまで汚水が移動し、図３（ｂ）に示すように、密閉容器７内の水位がどの位置においても同一になった時点（逆止弁８が閉じられて水封された時点である補助管１１の下端から上端まで汚水が入り込んだときの２つの管１１，１２に流入した汚水の容積分、つまり図３（ｂ）に示すように密閉容器７の水位が２点鎖線から実線で示す水位に下がることで容積Ｔ分が減った時点）から密閉容器７内の液面が空気の圧力によって押し下げられ、汚水が揚水管１０にそれの下端及び補助管１１を介して流入し、揚水管１０から前述のように接触ばっ気槽５に定量移送される（図３（ｃ）参照）。しかし、この汚水の移送により、図３（ｄ）に示すように、密閉容器７内の液面が補助管１１の下端（下部開口部１１Ｋ）よりも低くなると、揚水管１０内に貯留量調節用管１２を介して補助管１１から加圧空気が流入し、空気供給管９から供給される加圧空気が揚水管１０から流出するので、密閉容器７内の圧力が低下する。すると、閉じられていた逆止弁８に密閉容器７外の液圧が加わるため、逆止弁８が開いて密閉容器７内に、密閉容器外の汚水が流入し、密閉容器７内液位が貯留量調節用管１２の上端にまで達すると、貯留量調節用管１２及び補助管１１内に汚水が流入することにより、前記のように補助管１１の下端開口部が水封され、前記と同様にして密閉容器７内の汚水の定量移送が間欠的に行われる。前記貯留量調節用管１２の上端の位置を変更できるように貯留量調節用管１２そのものを上下方向に移動自在に構成したり、貯留量調節用管１２を２つの内外の筒状管から構成する、つまり上方の内側（又は外側）の筒状管を下方の外側（又は内側）の固定側の筒状管に上下方向に移動自在に嵌合させて構成することによって、前記汚水の水位が低いＬＷＬに変動が発生した場合でも、その変動に応じて貯留量調節用管１２の上端位置を変更すれば、汚水の移送を行うことができる利点がある。
【００１６】
前記液体移送装置１を、図４に示すように構成して実施してもよい。つまり、前記接続用円筒部９Ａとジョイント部１０Ｂを、前記密閉容器７の円筒状側板部７Ｄの上端に嵌合させるための嵌合用フランジ部７ｂを備えた上側円盤状板部７Ｂに一体形成し、前記固定部１２Ｂを、前記密閉容器７の円筒状側板部７Ｄの下端に嵌合させるための嵌合用フランジ部７ｃを備えた前記下側円盤状板部７Ｃに一体形成している。又、前記本体部１１ａと揚水始端側パイプ部１０Ｃを円筒状のストレートパイプ部１０Ｘから構成し、このストレートパイプ部１０Ｘと前記補助管１１を一体形成している。図４に示す２１は、前記取り込み口７Ａが形成された蓋であり、この蓋２１は形成された螺子により下側円盤状板部７Ｃに着脱自在に構成してあり、この蓋２１を取り外すことにより密閉容器７内の清掃が容易に行うことができる利点がある。前記蓋２１を取り付ける関係上、前記貯留量調節用管１２の下部にそれの直径を絞るためのテーパー部１２Ｔを備えさせている。
【００１７】
又、前記液体移送装置１を、図５に示すように構成することもできる。つまり、密閉容器７内に貯留量調節用管１２を上下方向に移動自在に備えさせ、前記貯留量調節用管１２を上下方向に移動させるための駆動装置としての電動モータ１４を設け、嫌気ろ床槽第二室４内の汚水の水位が所定水位ＷＬよりも低下したことを検出するための超音波センサ等からなる貯留レベル検出手段１５を設け、前記貯留レベル検出手段１５からの検出信号に応じて前記電動モータ１４を駆動制御するための駆動制御手段１６を設けている。従って、図５に示す所定水位ＷＬよりも嫌気ろ床槽第二室４内の汚水の水位が低下したことを貯留レベル検出手段１５にて検出すると、貯留量調節用管１２の上端面１２Ｃが汚水の水位と同一レベル又は汚水の水位よりも少し下がった位置（図５に実線で示す位置）に位置するように前記駆動制御手段１６から電動モータ１４に駆動信号を出力させて、嫌気ろ床槽第二室４内の汚水の水位が所定水位ＷＬよりも低下した場合でも、前述のように汚水の定量移送を行うことができるようにしている。図５に示す１７は、前記電動モータ１４の駆動ギヤ１４Ａに噛み合う歯部を備えたラックであるが、貯留量調節用管１２を上下方向に移動させる構成は、図に示される構成以外のものであってもよい。又、図５に示す１８は、貯留量調節用管１２の上側を移動自在に支持するための支持部材であり、又、１９は、貯留量調節用管１２の下側外周と密閉容器７との間の水密性を持たせるためのパッキンである。図５で示した他の構成は、図４のものとほぼ同一であるため、同一の符号を付すと共に、説明を省略する。
【００１８】
【発明の効果】
請求項１によれば、密閉容器内の液体を貯留量調節用管に上部から流入させて補助管の下端から上方に流入させて、揚水管を介して所定箇所に移送する二重筒の構成にすることによって、従来のようなＵ字管を用いるものに比べて装置全体が水平方向に大型化することを可及的に抑制することができ、設置作業面等の取扱面において有利になるだけでなく、貯留量調節用管の下端に汚泥が堆積し難い構成であり、しかも汚泥が堆積しても貯留量調節用管の下端に流入される液体による撹拌作用により堆積した沈殿物を分解して排出することが可能になり、従来のような定期清掃を不要にしながらも、長期間に渡って液体の定量移送ができる液体用移送装置を提供することができる。又、貯留量調節用管を直径や上下寸法の異なる貯留量調節用管に付け替えるだけで、一回に移送する液体の移送量を変更することができる利点がある。又、貯留量調節用管を上下方向に移動自在に構成しておけば、貯留部の最低液面に合わせて装置を設置する場合に、貯留量調節用管を上下方向に移動させるだけで設置誤差を容易に解消することができる。
【００１９】
請求項２によれば、貯留量調節用管の下端に外部に連通するための開口を形成し、その開口を閉塞する着脱自在な蓋体を設けることによって、その蓋体を開けて容易に掃除することができ、メンテナンス面において有利になる。前記貯留量調節用管を取り外し可能に構成しておけば、その貯留量調節用管を取り外すことによって、更に清掃作業を容易に行うことができる利点がある。
【００２０】
請求項３によれば、貯留量調節用管の上端の位置を調節することができる調節手段を備えさせることによって、水位が所定水位よりも低下した場合でも、その変動した水位に合わせて貯留量調節用管の上端の位置を下方へ調節することで、液体の定量移送を行うことができ、水位の変動に対応できる液体用移送装置を提供することができる。
【００２１】
請求項４によれば、貯留部の貯留レベルが変動するような場合でも、その貯留レベルが所定レベルよりも低下したことを貯留レベル検出手段にて検出し、その検出信号に応じて駆動制御手段から駆動装置に駆動信号を出力して、貯留量調節用管を上下方向に移動させることにより、自動的に液体の定量移送を行うことができ、水位の変動に自動的に対応できる便利な液体用移送装置を提供することができる。
【図面の簡単な説明】
【図１】浄化槽の概略縦断側面図である。
【図２】液体用移送装置の縦断面図である。
【図３】液体用移送装置の動作を示し、（ａ）は弁体が閉じられ、補助管内に密閉容器内の汚水が流入している状態を示し、（ｂ）は補助管内への汚水の流入が完了した状態を示し、（ｃ）は密閉容器内の汚水が揚水管へ吐出されている状態を示し、（ｄ）は密閉容器内の汚水が揚水管への吐出が完了し、弁体が開放されて嫌気ろ床槽第２室内の汚水が密閉容器内に供給される直前の状態を示している。
【図４】別の液体用移送装置の縦断面図である。
【図５】貯留量調節用管を上下方向に移動自在に構成した液体用移送装置を示す縦断面図である。
【符号の説明】
１  液体用移送装置    ２  流入口
３  嫌気ろ床槽第一室
４  嫌気ろ床槽第二室（貯留部）
５  接触ばっ気槽      ６  沈殿槽
７  密閉容器          ７Ａ  取り込み口
７Ｂ  上側円盤状板部  ７Ｃ  下側円盤状板部
７Ｄ  円筒状側板部    ８  弁体
９  空気供給管        ９Ａ  接続用円筒部
１０  揚水管          １０Ａ  揚水管本体
１０Ｂ  ジョイント部
１０Ｃ  揚水始端側パイプ部
１０ａ  本体部        １０ｂ  分岐部
１０Ｘ  ストレートパイプ部
１１  補助管          １１Ａ  ストレートパイプ部
１１Ｂ  下側パイプ部  １１Ｋ  下部開口部
１２  貯留量調節用管  １２Ａ  管本体
１２Ｂ  固定部        １２Ｃ  上端面
１２Ｎ，１３Ａ  螺子部
１２Ｔ  テーパー部    １３  蓋体
１４  電動モータ（駆動装置）
１４Ａ  駆動ギヤ
１５  貯留レベル検出手段
１６  駆動制御手段      １７  ラック
１８  支持部材          １９  パッキン
２０  パッキン          ２１  蓋
Ｐ  エアポンプ
【図１】
0003967601.tif 000002
【図２】
0003967601.tif 000003
【図３】
0003967601.tif 000004
【図４】
0003967601.tif 000005
【図５】
0003967601.tif 000006